(57)【特許請求の範囲】
【請求項１】
複数の給電用の電線を並列に保持する第１電線保持部と、該第１電線保持部に保持された電線の長手方向とほぼ直交する方向に沿って補機用のアース電線と信号用又は受電用の電線とを交互に並列に保持する第２電線保持部と、該第２電線保持部に保持された信号用又は受電用の電線が接続される第２圧接端子、及びその第２圧接端子に接続され、前記第１電線保持部に保持された電線が接続される第１圧接端子を有する複数の圧接ジョイント端子と、前記第２電線保持部に保持されたアース電線が接続されると共にアース側に接続されるアース端子と、を備えたジョイントコネクタにおいて、
前記アース端子が、前記第２電線保持部に保持されたアース電線がそれぞれ接続される複数のアース圧接端子と、これらアース圧接端子が設けられるアース用バスバーの基部と、その基部に接続されたアース接続部である丸型板端子とを有し、
前記アース圧接端子が、前記第１電線保持部に保持された給電用の電線の長手方向とほぼ平行に１列に配置されると共に、
前記第２圧接端子が、その給電用の電線の長手方向とほぼ平行であってその給電用の電線とアース圧接端子との間に１列に配置され、
かつ、その給電用の電線の長手方向と直交する方向からみて前記アース圧接端子の端部と第２圧接端子の端部とがそれぞれ重なり合うように配置されていることを特徴とする、
ジョイントコネクタ。
【請求項２】
複数の給電用の電線を並列に保持する第１電線保持部と、該第１電線保持部に保持された電線の長手方向とほぼ直交する方向に沿って前記第１電線保持部に保持された電線の側部に端部が位置されるように補機用のアース電線と信号用又は受電用の電線とを交互に並列に保持する第２電線保持部と、該第２電線保持部に保持された信号用又は受電用の電線の長手方向に沿って延在する端子基部を有し、該端子基部の一端部に設けられた第２圧接端子、及び複数の給電用の電線のうちの所望の電線と交差する端子基部にその電線と接続すべく第１圧接端子を有する複数の圧接ジョイント端子と、前記第２電線保持部に保持されたアース電線が接続されると共にアース側に接続されるアース端子と、を備えたジョイントコネクタにおいて、
前記アース端子が、前記第２電線保持部に保持されたアース電線がそれぞれ接続される複数のアース圧接端子と、これらアース圧接端子が設けられるアース用バスバーの基部と、その基部に接続されたアース接続部である丸型板端子とを有し、
前記アース圧接端子が、前記第１電線保持部に保持された給電用の電線の長手方向とほぼ平行に１列に配置されると共に、
前記第２圧接端子が、その給電用の電線の長手方向とほぼ平行であってその給電用の電線とアース圧接端子との間に１列に配置され、
かつ、その給電用の電線の長手方向と直交する方向からみて前記アース圧接端子の端部と第２圧接端子の端部とがそれぞれ重なり合うように配置されていることを特徴とする、
ジョイントコネクタ。
【請求項３】
上方が開口された矩形箱状のコネクタハウジングの対向する２つの側壁上に、前記第１電線保持部が設けられ、残りの一方の側壁上に、前記第２電線保持部が設けられ、該コネクタハウジング内に、前記複数の圧接ジョイント端子及び前記アース端子が装着されている請求項１、または２に記載のジョイントコネクタ。
【請求項４】
前記アース端子が、前記第２電線保持部に保持されたアース電線がそれぞれ接続される複数のアース圧接端子と、これらアース圧接端子が一方の長辺部にそれぞれ設けられる長方形状のアース用バスバーの基部と、その基部の一方の長辺部から基部の長手方向とほぼ直交する方向に沿って延出された延出部の延出端部に設けられたアース接続部である丸型板端子とを有し、該アース端子が、前記コネクタハウジング内の一方の側壁近傍に、他方の長辺部が隣接するようにその側壁に沿って基部が配置されると共に丸型板端子が他方の側壁を貫通してコネクタハウジング外に延出するように配置され、かつ、前記延出部の前記第１電線保持部に保持された複数の電線のうちの所望の電線と交差する位置に、その電線と接続するジョイント圧接端子を設けた請求項１乃至３の何れかに記載のジョイントコネクタ。
【発明の詳細な説明】
【０００１】
【発明の属する技術分野】
本発明はアース回路の電線と電源回路の電線との両方の処理を行えるジョイントコネクタに関するものである。
【０００２】
【従来の技術】
自動車、電気機器等において補機のアース処理を行う場合、複数のアース回路の電線をまとめてアース側と接続するアース用コネクタが用いられている。
アース用コネクタとしてはいろいろなものが知られており、その一つとして実開平６−４４０３４号公報に開示されたものがある。
【０００３】
このアース用コネクタは、図４に示すように、長方形板状の基部３０の一方の長辺のほぼ中央部に、アース側に接続されるアース接続部３１を設けると共に、他方の長辺に複数の電線圧接部３２を並設したアース端子３３と、アース回路の電線３４を保持する電線保持部３５、及びこれら電線保持部３５にアース端子３３の電線圧接部３２が挿入される挿入溝３６を有するコネクタハウジング３７とからなり、電線保持部３５にアース回路の電線３４を保持し、その挿入溝３６にアース端子３３の電線圧接部３２を挿入して、電線３４とアース端子３３とを電気的に接続するものである。
【０００４】
【発明が解決しようとする課題】
前述のようにアース用コネクタは、アース回路の電線をコネクタハウジングの電線保持部に保持し、アース端子の電線圧接部をその挿入溝に挿入して電線と圧接接続するものであるため、アース処理の作業を容易に行うことができると共に、特別な装置が必要でないため製造コストを低減することができる。しかしながら、このアース用コネクタはアース処理のみを行うため、中間ジョイントではアース用コネクタの他に別途の電源用のコネクタを用いないと、電源回路の電線の処理を行えない。つまり、１つの補機からの電源回路の電線とアース回路の電線とを別々のコネクタに接続しなければならず、電線をまとめづらく、作業性が悪い。
そこで、本発明は、このような実状に鑑みなされたものであり、その目的は、アース回路の電線と電源回路の電線との両方の処理を行えるジョイントコネクタを提供することにある。
【０００５】
【課題を解決するための手段】
前記目的を達成するために、本発明のジョイントコネクタは、
複数の給電用の電線を並列に保持する第１電線保持部と、該第１電線保持部に保持された電線の長手方向とほぼ直交する方向に沿って補機用のアース電線と信号用又は受電用の電線とを交互に並列に保持する第２電線保持部と、該第２電線保持部に保持された信号用又は受電用の電線が接続される第２圧接端子、及びその第２圧接端子に接続され、前記第１電線保持部に保持された電線が接続される第１圧接端子を有する複数の圧接ジョイント端子と、前記第２電線保持部に保持されたアース電線が接続されると共にアース側に接続されるアース端子と、を備えたジョイントコネクタにおいて、
前記アース端子が、前記第２電線保持部に保持されたアース電線がそれぞれ接続される複数のアース圧接端子と、これらアース圧接端子が設けられるアース用バスバーの基部と、その基部に接続されたアース接続部である丸型板端子とを有し、
前記アース圧接端子が、前記第１電線保持部に保持された給電用の電線の長手方向とほぼ平行に１列に配置されると共に、
前記第２圧接端子が、その給電用の電線の長手方向とほぼ平行であってその給電用の電線とアース圧接端子との間に１列に配置され、
かつ、その給電用の電線の長手方向と直交する方向からみて前記アース圧接端子の端部と第２圧接端子の端部とがそれぞれ重なり合うように配置されていることを特徴とする（請求項１）。
【０００６】
複数の給電用の電線を第１電線保持部に保持すると共に、補機用のアース電線と信号用又は受電用の電線とを第２電線保持部に保持し、その保持された信号用又は受電用の電線と給電用の電線とを圧接ジョイントにより接続すると共に、補機用のアース電線をアース端子によりアース側に接続することにより、電源回路の電線とアース回路の電線との両方の処理を行え、作業性が向上すると共に電線をまとめ易い。また、補機用のアース電線と信号用又は受電用の電線とを第２電線保持部に交互に保持するため、１つの補機からの電源回路の電線とアース回路の電線とを並べて配置することができるので、補機毎に電線がまとめられ、電線の管理が容易である。
このように１つのアース用バスバーの基部に複数のアース圧接端子が設けられているので、複数のアース処理をそれぞれ別々にアース処理する場合に比してアース処理の作業が容易となる。
また、アース圧接端子と第２圧接端子とをそれぞれ１列で、かつ、これら端子の端部が重なり合うように配置することにより、ジョイントコネクタの小型化を図れる。
【０００７】
また、本発明は、複数の給電用の電線を並列に保持する第１電線保持部と、該第１電線保持部に保持された電線の長手方向とほぼ直交する方向に沿って前記第１電線保持部に保持された電線の側部に端部が位置されるように補機用のアース電線と信号用又は受電用の電線とを交互に並列に保持する第２電線保持部と、該第２電線保持部に保持された信号用又は受電用の電線の長手方向に沿って延在する端子基部を有し、該端子基部の一端部に設けられた第２圧接端子、及び複数の給電用の電線のうちの所望の電線と交差する端子基部にその電線と接続すべく第１圧接端子を有する複数の圧接ジョイント端子と、前記第２電線保持部に保持されたアース電線が接続されると共にアース側に接続されるアース端子と、を備えたジョイントコネクタにおいて、
前記アース端子が、前記第２電線保持部に保持されたアース電線がそれぞれ接続される複数のアース圧接端子と、これらアース圧接端子が設けられるアース用バスバーの基部と、その基部に接続されたアース接続部である丸型板端子とを有し、
前記アース圧接端子が、前記第１電線保持部に保持された給電用の電線の長手方向とほぼ平行に１列に配置されると共に、
前記第２圧接端子が、その給電用の電線の長手方向とほぼ平行であってその給電用の電線とアース圧接端子との間に１列に配置され、
かつ、その給電用の電線の長手方向と直交する方向からみて前記アース圧接端子の端部と第２圧接端子の端部とがそれぞれ重なり合うように配置されていることを特徴とする（請求項２）。
【０００８】
上記のように、請求項２の発明は、複数の給電用の電線を第１電線保持部に保持すると共に、補機用のアース電線と信号用又は受電用の電線とを第２電線保持部に保持し、その保持された信号用又は受電用の電線と給電用の電線とを圧接ジョイントにより接続すると共に、補機用のアース電線をアース端子によりアース側に接続することにより、電源回路の電線とアース回路の電線との両方の処理を行え、作業性が向上すると共に電線をまとめ易い。また、補機用のアース電線と信号用又は受電用の電線とを第２電線保持部に交互に保持するため、１つの補機からの電源回路の電線とアース回路の電線とを並べて配置することができるので、補機毎に電線をまとめられ、電線の管理が容易である。
このように、端子基部の長さや、第１圧接端子の位置を端子基部に沿って変えるだけで、給電用の電線を任意に選択することができ、簡単に電線の接続状態が変えられる。
また、１つのアース用バスバーの基部に複数のアース圧接端子が設けられているので、複数のアース処理をそれぞれ別々にアース処理する場合に比してアース処理の作業が容易となる。
そして、アース圧接端子と第２圧接端子とをそれぞれ１列で、かつ、これら端子の端部が重なり合うように配置することにより、ジョイントコネクタの小型化を図れる。
【００１３】
上方が開口された矩形箱状のコネクタハウジングの対向する２つの側壁上に、前記第１電線保持部が設けられ、残りの一方の側壁上に、前記第２電線保持部が設けられ、このコネクタハウジング内に、前記複数の圧接ジョイント端子及び前記アース端子が装着されていることが好ましい（請求項３）。
【００１４】
このように、同一のコネクタハウジングに複数の圧接ジョイント端子及びアース端子が装着されていると共に第１、第２電線保持部が設けられていることにより、電線の取り付けが１つのコネクタハウジングのみでよく、電線の取付作業性がよい。
【００１５】
前記アース端子が、前記第２電線保持部に保持されたアース電線がそれぞれ接続される複数のアース圧接端子と、これらアース圧接端子が一方の長辺部にそれぞれ設けられる長方形状のアース用バスバーの基部と、その基部の一方の長辺部から基部の長手方向とほぼ直交する方向に沿って延出された延出部の延出端部に設けられたアース接続部である丸型板端子とを有し、このアース端子が、前記コネクタハウジング内の一方の側壁近傍に、他方の長辺部が隣接するようにその側壁に沿って基部が配置されると共に丸型板端子が他方の側壁を貫通してコネクタハウジング外に延出するように配置され、かつ、前記延出部の前記第１電線保持部に保持された複数の電線のうちの所望の電線と交差する位置に、その電線と接続するジョイント圧接端子を設けることが好ましい（請求項４）。
【００１６】
このように構成することで、第１、第２側壁では給電用の電線が、第３側壁では補機用の電線が、第４側壁ではアース接続部がそれぞれ配置されて、同一の側壁には別の電線等が配置されていないので、給電用の電線、補機用の電線及びアース接続部の管理が容易である。また、延出部にジョイント圧接端子を設けることにより、中間ジョイントアースを行える。
【００１７】
【発明の実施の形態】
以下、本発明の実施の形態を添付図面に基づいて詳述する。
図１及び図２は本発明のジョイントコネクタの一例を示す図である。図１及び図２において、１はジョイントコネクタを示し、このジョイントコネクタ１は、複数の給電用の電線２を並列に保持する第１電線保持部３、及び補機用のアース電線４と信号用又は受電用の電線５とを並列に保持する第２電線保持部６を有するコネクタハウジング７と、そのコネクタハウジング７に装着される圧接ジョイント端子８及びアース端子９とからなる。
給電用の電線２、及び補機用のアース電線４、信号用又は受電用の電線５としては、導電線が絶縁材料により断面円状に被覆された絶縁体被覆電線が用いられる。
【００１８】
コネクタハウジング７は、図１乃至図３に示すように、上方が開口された例えば矩形箱状に合成樹脂等の絶縁材料により射出成形等により成形され、当該コネクタハウジング７を何段にも積み重ねることが可能になると共に、蓋（図示せず）により開口部を閉塞可能に形成することが好ましい。
コネクタハウジング７の対向する２つの側壁（図示例では相対向する２つの短辺の第１、第２側壁）１０、１１の上部には、それぞれ第１電線保持部３である第１電線保持溝３ａ、３ｂが設けられている。第１電線保持溝３ａ、３ｂは、第１、第２側壁１０、１１上であって残りの側壁のうちの他方の側壁（第４側壁）１３の近傍から所定の間隔を隔てて複数例えば６つそれぞれ対向する位置に設けられている。第１電線保持溝３ａ、３ｂは、給電用の電線２を例えば圧入保持するように断面Ｕ字状に形成されており、対応する２つの第１、第２側壁１０、１１の第１電線保持溝３ａ、３ｂに電線２を圧入保持することにより、コネクタハウジング７の長手方向に沿って６本の電線２が平行に配置されるようになっている。
【００１９】
残りの側壁のうちの一方の側壁（第３側壁）１２の上部には、第２電線保持部６である第２電線保持溝６ａが設けられている。第２電線保持溝６ａは、第３側壁１２上の中央部を除いた両側にそれぞれ所定の間隔を隔てて複数図示例では４つ（計８つ）設けられている。第２電線保持溝６ａは、補機用の電線４、５を例えば圧入保持するように断面Ｕ字状に形成されており、補機用の電線４、５が中央部から両端部に向ってそれぞれアース電線４と信号用又は受電用の電線５とを交互に並列に保持され、かつ、これら電線４、５の端部が、第１電線保持溝３ａ、３ｂに保持された電線２のうちの第３側壁１２に一番近い電線２の側部近傍に位置されるように補機用の電線４、５を圧入保持することが好ましい。
【００２０】
コネクタハウジング７内には、複数図示例では４つの圧接ジョイント端子８及びアース端子９をそれぞれ着脱自在に装着するジョイント端子装着部１４及びアース端子装着部１５が設けられている。
【００２１】
アース端子装着部１５は、第３側壁１２の近傍にその側壁１２に沿ってほぼ平行に配置されていると共に、その中央部から第１、２側壁１０、１１に沿って平行に第４側壁１３まで配置されて、ほぼＴ字状に形成されている。
【００２２】
ジョイント端子装着部１４は、第１、２側壁１０、１１にほぼ平行に複数図示例では４つ並設されている。具体的には例えば、第３側壁１２の中央部から両端部に向ってそれぞれ２番目と４番目の第２電線保持溝６ａの幅方向（第１側壁１０の長手方向）上にそれぞれ設けられ、一端部がアース端子装着部１５の近傍に位置されていると共に、他端部が第４側壁１３の近傍にそれぞれ位置されている。
【００２３】
圧接ジョイント端子８は、長方形板状の端子基部１６と、その端子基部１６の両端部にそれぞれ設けられた第１、第２圧接端子１７、１８とからなる。端子基部１６の一端部には、端子基部１６の長手方向とほぼ直交する方向に沿って第２圧接端子１８が設けられ、この第２圧接端子１８の幅と端子基部１６の幅とがほぼ同一に形成されている。圧接ジョイント端子８を複数のジョイント端子装着部１４にそれぞれ装着すると、第２圧接端子１８が第３側壁１２の長手方向にほぼ平行に１列に配置されると共に、端子基部１６の中央部の長手方向に延在する中央線が、コネクタハウジング７の面方向に直交する方向からみて第２電線保持部６に保持された信号用又は受電用の電線５の軸線（中央線）上になるように配置されるようになっている。
【００２４】
圧接ジョイント端子８の端子基部１６のどちらか一方の長辺部の他端部には、端子基部１６の長手方向に沿って第１圧接端子１７が設けられている。
第１圧接端子１７及び第２圧接端子１８は、それぞれ端子基部１６に対して垂直に突設したほぼ長方形状の小片１９からなり、その中央部に電線圧入用のスリット２０が設けられている。このスリット２０の幅はスリット２０に電線２、５を圧入したとき電線２、５の導体部分と第１、第２圧接端子１７、１８とが電気的に接続されるように形成されている。
【００２５】
圧接ジョイント端子８の端子基部１６の長手方向の長さは、第１圧接端子１７を接続する電線２に応じて任意に選択される。すなわち、圧接ジョイント端子８は、一端部が同じ位置つまり第２圧接端子１８が１列になるように装着されるので、端子基部１６の長さを変えることにより第１電線保持溝３ａ、３ｂに保持された任意の電線２と接続することができる。従って、端子基部１６の長さが異なる６種類の圧接ジョイント端子８を成形することにより、圧接ジョイント端子８を取りかえるだけの簡単な作業で電線の接続状態を変えることができる。
【００２６】
圧接ジョイント端子８としては、具体的には例えば、第４側壁１３から１番目に近い第１電線保持溝３ａ、３ｂに保持される電線２と接続される第１圧接ジョイント端子、それぞれ同様に順に２番目から６番目の電線に接続されるように第２、第３、第４、第５及び第６圧接ジョイント端子をそれぞれ成形し、第１側壁１０に近い２つのジョイント端子装着部１４、１４には第３圧接ジョイント端子８ｃ、８ｃを、第１側壁１０に３番目に近いジョイント端子装着部１４には第１圧接ジョイント端子８ａを、残りのジョイント端子装着部１４には第６圧接ジョイント端子８ｆをそれぞれ装着することにより、任意の電線２と接続することが可能となる。つまり、各ジョイント端子装着部１４は、６種類の圧接ジョイント端子８ａ、８ｃ、８ｆを装着できるように形成されている。なお、端子基部１６の長さを一定にして、第１圧接端子１７の位置を変えるようにしてもよい。
【００２７】
アース端子９は、長方形板状の基部２１と、その一方の長辺部のほぼ中央部にその長手方向にほぼ直交する方向に沿って延出する延出部２２とからなるアース用バスバー２３を有し、このアース用バスバー２３はほぼＴ字状に導電性材料により形成されている。基部２１は、アース端子９をアース端子装着部１５に装着したとき、コネクタハウジング７の第３側壁１２の近傍にその側壁１２に沿ってほぼ平行に配置されると共に、両端部が第２電線保持溝６ａの第１、第２側壁１０、１１に一番近い第２電線保持溝６ａの近傍にそれぞれ位置されるような長さに形成されている。延出部２２は、延出端部が第４側壁１３よりコネクタハウジング７の外部に位置される長さに形成され、この延出端部がアース接続部であるリング状の丸型板端子２４として形成されている。
【００２８】
基部２１の一方の長辺部には、延出部２２から両端部に向ってそれぞれ両側に２つずつ計４つのアース圧接端子２５が配設され、これらアース圧接端子２５は、アース端子９をアース端子装着部１５に装着したとき、第３側壁１２に沿って１列であって、第３側壁１２の中央部から両端部に向ってそれぞれ１番目と３番目の第２電線保持溝６ａの幅方向（第１側壁１０の長手方向）上にそれぞれ設けられる。
【００２９】
また、延出部２２の一方の側部であって、前記第１電線保持溝３ａ、３ｂに保持された電線２の長手方向と交差する位置例えば第３側壁１２から２番目に近い電線２と交差する位置には、その電線２が圧接接続されるジョイント圧接端子２６が設けられている。なお、ジョイント圧接端子２６の位置は、延出部２２の長手方向に沿って変えることにより任意の電線２を選択することができる。
【００３０】
アース圧接端子２５及びジョイント圧接端子２６は、前記第１、第２圧接端子１７、１８とほぼ同一形状のもので、つまり、それぞれアース用バスバー２３に対して垂直に突設したほぼ長方形状の小片２７からなり、その中央部に電線圧入用のスリット２８が設けられている。このスリット２８の幅はスリット２８に電線４、２を圧入したとき電線４、２の導体部分とアース圧接端子２５及びジョイント圧接端子２６とが電気的に接続されるように形成される。
【００３１】
また、アース圧接端子２５と第２圧接端子１８とは、第１側壁１０の長手方向からみてアース圧接端子２５の端部と第２圧接端子１８の端部とがそれぞれ重なり合うようにアース圧接端子２５及び第２圧接端子１８を配置することが好ましい。
【００３２】
次に作用を説明する。
コネクタハウジング７のアース端子装着部１５に、図１乃至図３に示すように、アース端子９を装着すると共に、４つのジョイント端子装着部１４に、第１側壁から近い順に第３圧接ジョイント端子８ｃ、第３圧接ジョイント端子８ｃ、第１圧接ジョイント端子８ａ及び第６圧接ジョイント端子８ｆをそれぞれ装着する。
【００３３】
このコネクタハウジング７の第１電線保持部３（第１電線保持溝３ａ、３ｂ）に給電用の６本の電線２をそれぞれ保持させると共に、第４側壁１３に１番近い電線２を第１圧接ジョイント端子８ａの第１圧接端子１７に、３番目の電線２を２つの第３圧接ジョイント端子８ｃ、８ｃの第１圧接端子１７、１７に、５番目の電線２をジョイント圧接端子２６に、１番遠い電線２を第６圧接ジョイント端子８ｆの第１圧接端子１７にそれぞれ接続する。
【００３４】
一方、コネクタハウジング７の第２電線保持部６（第２電線保持溝６ａ）に補機用の８本の電線４、５を、中央部からそれぞれアース電線４と例えば受電用の電線５とを交互に保持させると共に、これら電線４、５の端部を、第３側壁１２に１番近い第１電線保持部３に保持させた電線２の側部近傍に位置させ、かつ、アース電線４の端部をアース圧接端子２５に、受電用の電線５の端部を第２圧接端子１８にそれぞれ接続する。
【００３５】
これにより、第１側壁１０から１番目の受電用の電線５と３番目の受電用の電線５とがそれぞれ第３圧接ジョイント端子８ｃを介して第４側壁１３から３番目の給電用の電線２とに接続される。第２側壁１１から３番目の受電用の電線５が第１圧接ジョイント端子８ａを介して第４側壁１３から１番目の給電用の電線２と接続される。第２側壁１１から１番目の受電用の電線５が第６圧接ジョイント端子８ｆを介して第４側壁１３から６番目の給電用の電線２と接続され、電源回路の電線の処理が行われる。
【００３６】
また、アース電線４は、１つのアース用バスバー２３の基部２１にそれぞれ設けたアース圧接端子２５にそれぞれ接続されるので、アース回路の電線の処理が行われる。このように１つのアース用バスバー２３の基部２１にそれぞれ設けたアース圧接端子２５にアース電線４を接続して複数のアース処理を行うので、それぞれ別々にアース処理する場合に比してアース処理の作業が容易となる。また、アース用バスバー２３の延出部２２にジョイント圧接端子２６を設けることにより、中間ジョイントアースを行える。
【００３７】
また、補機用のアース電線４と受電用の電線５とが第２電線保持部６に交互に保持されていることにより、１つの補機からの電源回路の電線とアース回路の電線とを並べて配置することができるので、補機毎に電線をまとめられ、電線の管理が容易である。
【００３８】
したがって、本発明のジョイントコネクタ１は、電源回路の電線とアース回路の電線との両方の処理を行え、作業性が向上すると共に電線をまとめ易く、かつ、補機毎に電線をまとめられ、電線の管理が容易である。
【００３９】
また、圧接ジョイント端子８の端子基部１６が、第２電線保持部６に保持された電線５の軸線上に設けられ、その軸線とほぼ直交する方向に給電用の電線２が配置されているため、その電線５の軸線方向では、他の端子基部１６が邪魔になることなく、端子基部１６の長手方向の長さを変えられ、また、第１圧接端子１７の位置を変えることができる。よって、端子基部１６の長さや、第１圧接端子１７の位置を端子基部１６に沿って変えるだけで、給電用の電線を任意に選択することができ、簡単に電線の接続状態を変えられる。
具体的には例えば、各ジョイント端子装着部１４を６種類の圧接ジョイント端子８が装着できるように形成することにより、圧接ジョイント端子８を取りかえるだけの簡単な作業で接続状態を可変することができる。
【００４０】
また、アース圧接端子２５と第２圧接端子１８とをそれぞれ１列で、かつ、これら端子２５、１８の端部が第１側壁１０の長手方向からみて重なり合うように配置することにより、第３、第４側壁１２、１３の長手方向の長さを、例えばアース圧接端子２５と第２圧接端子１８とを１列に並列した場合に比して短くでき、ジョイントコネクタ１の小型化を図れる。
【００４１】
また、同一のコネクタハウジング７に複数の圧接ジョイント端子８及びアース端子９が装着されていると共に第１、第２電線保持部３、６が設けられていることにより、電線２、４、５の取り付けが１つのコネクタハウジング７のみでよく、電線の取付作業性がよい。
【００４２】
また、第１、第２側壁１０、１１では給電用の電線２が、第３側壁１２では補機用の電線４、５が、第４側壁１３ではアース接続部２４がそれぞれ配置されているため、同一の側壁には別の電線等が配置されていないので、給電用の電線２、補機用の電線４、５及びアース接続部２４の管理が容易である。
【００４３】
【発明の効果】
以上要するに請求項１に記載の発明によれば、複数の給電用の電線を第１電線保持部に保持すると共に、補機用のアース電線と信号用又は受電用の電線とを第２電線保持部に保持し、その保持された信号用又は受電用の電線と給電用の電線とを圧接ジョイントにより接続すると共に、補機用のアース電線をアース端子によりアース側に接続することにより、電源回路の電線とアース回路の電線との両方の処理を行え、作業性が向上すると共に電線をまとめ易い。また、補機用のアース電線と信号用又は受電用の電線とを第２電線保持部に交互に保持するため、１つの補機からの電源回路の電線とアース回路の電線とを並べて配置することができるので、補機毎に電線をまとめられ、電線の管理が容易である。
このように１つのアース用バスバーの基部に複数のアース圧接端子が設けられているので、複数のアース処理をそれぞれ別々にアース処理する場合に比してアース処理の作業が容易となる。
このように、アース圧接端子と第２圧接端子とをそれぞれ１列で、かつ、これら端子の端部が重なり合うように配置することにより、ジョイントコネクタの小型化を図れる。
【００４４】
請求項２に記載の発明によれば、複数の給電用の電線を第１電線保持部に保持すると共に、補機用のアース電線と信号用又は受電用の電線とを第２電線保持部に保持し、その保持された信号用又は受電用の電線と給電用の電線とを圧接ジョイントにより接続すると共に、補機用のアース電線をアース端子によりアース側に接続することにより、電源回路の電線とアース回路の電線との両方の処理を行え、作業性が向上すると共に電線をまとめ易い。また、補機用のアース電線と信号用又は受電用の電線とを第２電線保持部に交互に保持するため、１つの補機からの電源回路の電線とアース回路の電線とを並べて配置することができるので、補機毎に電線をまとめられ、電線の管理が容易である。
このように、端子基部の長さや、第１圧接端子の位置を端子基部に沿って変えるだけで、給電用の電線を任意に選択することができ、簡単に電線の接続状態が変えられる。
また、１つのアース用バスバーの基部に複数のアース圧接端子が設けられているので、複数のアース処理をそれぞれ別々にアース処理する場合に比してアース処理の作業が容易となる。
そして、アース圧接端子と第２圧接端子とをそれぞれ１列で、かつ、これら端子の端部が重なり合うように配置することにより、ジョイントコネクタの小型化を図れる。
【００４７】
請求項３に記載の発明によれば、電線の取り付けが１つのコネクタハウジングのみでよく、電線の取付作業性がよい。
【００４８】
請求項４に記載の発明によれば、給電用の電線、補機用の電線及びアース接続部の管理が容易であると共に、中間ジョイントアースを行える。
【図面の簡単な説明】
【図１】本発明のジョイントコネクタの一例を示す上面図である。
【図２】本発明のジョイントコネクタに電線を保持させた状態を示す上面図である。
【図３】本発明のコネクタハウジング、圧接ジョイント端子及びアース端子の一例を示す斜視図である。
【図４】アース用コネクタの一例を示す斜視図である。
【符号の説明】
１    ジョイントコネクタ
２    給電用電線
３    第１電線保持部
４    アース電線
５    信号用又は受電用電線
６    第２電線保持部
７    コネクタハウジング
８    圧接ジョイント端子
９    アース端子
１０  第１側壁
１１  第２側壁
１２  第３側壁
１３  第４側壁
１６  端子基部
１７  第１圧接端子
１８  第２圧接端子
２１  基部
２３  アース用バスバー
２４  丸型板端子
２５  アース圧接端子
２６  ジョイント圧接端子
【図１】
0003881857.tif 000002
【図２】
0003881857.tif 000003
【図３】
0003881857.tif 000004
【図４】
0003881857.tif 000005